(57)【要約】      （修正有）【課題】注出経路を切替えることにより計量注出、連続的な注出（適用注出）が行える使い勝手のよい吐出切換え可能なスクイズ容器を提供する。【解決手段】計量栓２を、注出口Ｎが形成された頂壁部２ａを有し容器本体１の口頚部１ｂに回動可能かつ昇降移動可能に保持されるベース２ｂと、該ベース２ｂに設置され該容器本体１内の内容物を一旦貯留して計量する中皿２ｃと、該中皿２ｃの底壁部２ｃ１に設けられ一端部に該底壁部２ｃ１を貫通する開孔部２ｄを有し他端部に計量栓内で開放された少なくとも１つの開孔部２ｅを有する筒体２ｆとを備え、中皿２ｃの下方に、容器本体１の口頚部１ｂの突端部１ｂ１に固定保持される中栓３を配設してなり、中栓を、ベース２ｂの回動に伴うそれ自体の昇降移動にて該貫通孔を開閉させるものとし、その下面部に、一端部５ａが該孔部４ａにつながり他端部５ｂが該容器本体１の底壁部１ｃの近傍域に位置する筒体５を設ける。【選択図】図１
2019189323.tif 000002
【特許請求の範囲】
【請求項１】
内容物を収容する収容空間を有し胴体部分のスクイズにより内容物の注出を可能とする容器本体と、該容器本体の口頚部に装着され容器本体内の内容物を計量する計量栓とを備え、該計量栓にて計量された内容物を注出口を通して注出可能とする一方、注出経路の切替えにて該容器本体内の内容物を注出口を通して連続的に注出可能なスクイズ容器であって、
前記計量栓は、注出口が形成された頂壁部を有し前記容器本体の口頚部に回動可能かつ昇降移動可能に保持されるベースと、該ベースに設置され該容器本体内の内容物を一旦貯留して計量する中皿と、該中皿の底壁部から上方に伸び、一端部に該底壁部を貫通する開孔部を有し他端部に計量栓内で開放された開孔部を有する筒体とを備え、
前記中皿の下方に、容器本体内の内容物を流通させる貫通孔を有し前記容器本体の口頚部の突端部に固定保持される中栓を配設してなり、
前記中栓は、該筒体の他端部側の開孔部に連通可能な孔部を有し該ベースの回動に伴う該ベースそれ自体の昇降移動にて該貫通孔を開閉させるものであり、その下面部に、一端部が該孔部につながり他端部が該容器本体の底壁部の近傍域に位置する筒体を設けた、ことを特徴とする計量栓を備えたスクイズ容器。
【請求項２】
前記計量栓は、前記孔部を前記筒体の一端部側の開孔部に連通させ、前記中栓の貫通孔を閉とすることにより前記容器本体内の内容物を前記中皿にて計量可能とするものであり、該中栓の貫通孔を開とすることにより注出経路を切替えて前記容器本体内の内容物を連続的に注出可能とするものである、ことを特徴とする請求項１に記載した計量栓を備えたスクイズ容器。
【請求項３】
前記筒体は、前記注出口の軸芯と一致する軸芯を有するものからなり、
前記頂壁部は、その下面に、前記中栓の貫通孔を閉とした状態で該筒体の他端部側の開孔部に隙間を隔てて対面するとともに該筒体の他端部側の開孔部から流出した内容物を衝突させる垂下片を有し、該垂下片が位置する前記注出口の縁部には、該垂下片に衝突した内容物を一旦貯めおき、該内容物を整流状態に維持しながら該注出口より流出させる返し部を有することを特徴とする請求項１または２に記載した計量栓を備えたスクイズ容器。
【請求項４】
前記筒体は、前記注出口の軸芯から偏心した軸芯を有するものからなる、ことを特徴とする請求項１または２に記載した計量栓を備えたスクイズ容器。
【請求項５】
前記計量栓は、前記ベースに回動可能につながるか若しくは該ベースに着脱可能な蓋体を備え、該蓋体は、該蓋体が該ベースの頂壁部を覆い隠す閉姿勢でもって前記注出口に嵌合して該注出口を閉塞させる垂下筒を有することを特徴とする請求項１〜４のいずれか１項に記載した計量栓を備えたスクイズ容器。
【発明の詳細な説明】
【技術分野】
【０００１】
本発明は、計量栓を備えたスクイズ容器に関するものである。
【背景技術】
【０００２】
容器本体の口頚部に計量栓を組み付け、該容器本体の胴体部分をスクイズすることにより容器本体内に収容された内容物を計量栓にて適量だけ計量して注出するスクイズ容器としては、例えば、特許文献１に開示されたものが知られており、化粧料、飲料、調味料、薬剤（点眼薬等）の充填容器として近年幅広い分野で多用されている。
【先行技術文献】
【特許文献】
【０００３】
【特許文献１】特許第５１０３３０２号公報
【発明の概要】
【発明が解決しようとする課題】
【０００４】
ところで、この種の容器は、計量栓に容器本体の底壁部に至る長さを有するパイプが配置されており、内容物を計量するに当たっては、容器本体を正位姿勢に保持してスクイズする必要があることから、例えば、使いたい分だけ内容物を取り出した場合にあっては、容器本体を正位姿勢に保持して内容物を計量栓に導入する一方で容器本体を傾動させて計量栓内の内容物を排出する動作を複数回にわたって繰り返し行わざるを得ず（容器本体を傾動させた状態で内容物を連続的に注出させる使用形態には不向き）、使い勝手がよいとはいえないものであった。
【０００５】
本発明の課題は、容器本体内の内容物を計量して注出することができるだけでなく、使いたい分だけ内容物を連続的に注出することができる吐出切替え可能なスクイズ容器を提案するところにある。
【課題を解決するための手段】
【０００６】
本発明は、内容物を収容する収納空間を有し胴体部分のスクイズにより内容物の注出を可能とする容器本体と、該容器本体の口頚部に装着され容器本体内の内容物を計量する計量栓とを備え、該計量栓にて計量された内容物を注出口を通して注出可能とする一方、注出経路の切替えにて該容器本体内の内容物を注出口を通して連続的に注出可能なスクイズ容器であって、前記計量栓は、注出口が形成された頂壁部を有し前記容器本体の口頚部に回動可能かつ昇降移動可能に保持されるベースと、該ベースに設置され該容器本体内の内容物を一旦貯留して計量する中皿と、該中皿の底壁部から上方に伸び、一端部に該底壁部を貫通する開孔部を有し他端部に計量栓内で開放された開孔部を有する筒体とを備え、前記中皿の下方に、容器本体内の内容物を流通させる貫通孔を有し前記容器本体の口頚部の突端部に固定保持される中栓を配設してなり、前記中栓は、該筒体の他端部側の開孔部に連通可能な孔部を有しベースの回動に伴う該ベースそれ自体の昇降移動にて該貫通孔を開閉するものであり、その下面部に、一端部が該孔部につながり他端部が該容器本体の底壁部の近傍域に位置する筒体を設けた、ことを特徴とする計量栓を備えたスクイズ容器である。
【０００７】
上記の構成からなる計量栓を備えたスクイズ容器において、前記計量栓は、前記孔部を前記筒体の一端部側の開孔部に連通させ、前記中栓の貫通孔を閉とすることにより前記容器本体内の内容物を前記中皿にて計量可能とするものであり、該中栓の貫通孔を開とすることにより注出経路を切替えて前記容器本体内の内容物を連続的に注出するものであること、また、前記筒体は、前記注出口の軸芯と一致する軸芯を有するものからなり、前記頂壁部は、その下面に、前記中栓の貫通孔を閉とした状態で該筒体の他端部側の開孔部に隙間を隔てて対面するとともに該筒体の他端部側の開孔部から流出した内容物を衝突させる垂下片を有し、該垂下片が位置する前記注出口の縁部には、該垂下片に衝突した内容物を一旦貯めおき、該内容物を整流状態に維持しながら該注出口より流出させる返し部を有すること、また、前記筒体は、前記注出口の軸芯から偏心した軸芯を有するものからなること、さらに、前記計量栓は、前記ベースに回動可能につながるか若しくは該ベースに着脱可能な蓋体を備え、該蓋体は、該蓋体が該ベースの頂壁部を覆い隠す閉姿勢でもって前記注出口に嵌合して該注出口を閉塞させる垂下筒を有すること、が課題解決のための具体的手段として好ましい。
【発明の効果】
【０００８】
上記の構成からなる本発明の計量栓を備えたスクイズ容器によれば、計量栓を、注出口が形成された頂壁部を有し容器本体の口頚部に回動可能に保持されるベースと、該ベースの内側に設置され該容器本体内の内容物を一旦貯留して計量する中皿と、該中皿の底壁部から上方へ伸び、一端部に該底壁部を貫通する開孔部を有し他端部に計量栓内で開放された開孔部を有する筒体とを備えたもので構成し、中皿の下方に、容器本体内の内容物を流通させる貫通孔を有し容器本体の口頚部の突端において固定保持される中栓を配設し、中栓を、該筒体の他端部側の開孔部に連通可能な孔部を有し該ベースの回動に伴う該ベースそれ自体の昇降移動にて該貫通孔を開閉するものとし、その下面部に、一端部が該孔部につながり他端部が該容器本体の底壁部の近傍域に位置する筒体を設けるようにしたため、計量栓を容器本体の口頚部において回動させる切替え操作のみで、所定量に計量された内容物の注出または内容物の連続的な注出が可能となる。
【０００９】
また、本発明によれば、筒体を、注出口の軸芯と一致する軸芯を有するものとし、頂壁部の下面に、中栓の貫通孔を閉とした状態で該筒体の他端部側に設けられた開孔部に隙間を隔てて対面するとともに該筒体の他端部側の開孔部から流出した内容物を衝突させる垂下片を設け、該垂下片が位置する注出口の縁部に、該垂下片に衝突した内容物を一旦貯めおき、該内容物を整流しながら該注出口より流出させる返し部を設けるようにしたため、内容物の、注出口からの散開、飛散が抑制される。
【００１０】
また、本発明によれば、筒体を、注出口の軸芯から偏心した軸芯を有するものとすることにより、垂下片や返し部が不要となり構造の簡素化が可能となる。
【００１１】
さらに、本発明によれば、計量栓に、ベースに回動可能につながるか若しくは該ベースに着脱可能な蓋体を配置し、該蓋体に、該蓋体が該ベースの頂壁部を覆い隠す閉姿勢でもって注出口に嵌合して該注出口を閉塞させる垂下筒を設けておくことにより、スクイズ容器の転倒による内容物のこぼれ出しを回避することができ、また、スクイズ容器の保管時において注出口からのごみ等の侵入を防止することができる。
【図面の簡単な説明】
【００１２】
【図１】本発明にしたがう計量栓を備えたスクイズ容器の実施の形態を模式的に示した図であり、（ａ）は、計量栓をその平面について示した図であり、（ｂ）は、スクイズ容器の断面を示した図である。
【図２】図１に示したスクイズ容器の使用状態の説明図（計量注出）であり、（ａ）は、計量栓をその平面について示した図であり、（ｂ）は、スクイズ容器の断面を示した図である。
【図３】図１に示したスクイズ容器の使用状態の説明図（連続的な注出）であり、（ａ）は、計量栓をその平面について示した図であり、（ｂ）は、スクイズ容器の断面を示した図である。
【図４】図３に示したスクイズ容器を傾転姿勢に保持した状態を示した図である。
【図５】本発明にしたがう計量栓を備えたスクイズ容器の他の実施の形態を模式的に示した図である。
【発明を実施するための最良の形態】
【００１３】
以下、図面を参照して本発明をより具体的に説明する。
図１（ａ）（ｂ）は、本発明にしたがうスクイズ容器の実施の形態を模式的に示した図であり、（ａ）は、計量栓をその平面について示した図であり、（ｂ）は、スクイズ容器の断面を示した図である。本発明にしたがう計量栓を備えたスクイズ容器は、基本的には合成樹脂製の部材が用いられるが部材の材質は任意に変更し得る。
【００１４】
図における符号１は、内容物を収容する収容空間を有する容器本体である。容器本体１は、押圧変形（スクイズ）が可能な合成樹脂からなっており、胴体部分１ａの押し潰しとその初期形状への復元を許容するものであって、胴体部分１ａの頂部には円筒状の口頚部１ｂが設けられている。
【００１５】
容器本体１は、ここではボトル形状をなすものを例として示したが、容器本体１の形状は充填すべき内容物の種類や用途に応じて適宜変更することが可能であり、図示のものに限定されることはない。また、口頚部１ｂの形状についても種々の形状のものを採用することができる。
【００１６】
また、２は、容器本体１の口頚部１ｂに装着され、容器本体１内の内容物を計量する計量栓である。計量栓２は、注出口Ｎが形成された頂壁部２ａを有し、容器本体１の口頚部１ｂにねじ部を介して回動可能、かつ昇降移動可能に保持されるベース２ｂと、ベース２ｂの内側に設置され、容器本体１内の内容物を一旦貯留して計量する計量空間Ｍを区画形成する中皿２ｃと、中皿２ｃの底壁部２ｃ１から上方に伸び、一端部に底壁部２ｃ１を貫通して開放された開孔部２ｄを有し、他端部に頂壁部２ａの直近で横向きに開放された、対向配置になる２つの開孔部２ｅを有する筒体２ｆから構成されている。筒体２ｆは、注出口Ｎの軸芯Ｌと一致する軸芯Ｌ１を有している。注出口Ｎの縁部には、頂壁部２ａに一体連結し計量された内容物を染み込ませるもの（例えば、コットン等）をしっかりとあてがっておくことができるように、漏斗状のリップＮ１を設けることができる。また、開孔部２ｅは対向位置に２つ設けたものを例として示しているが、開孔部２ｅの数は任意に設定することができる。筒体２ｆの長さは計量する量に応じて設定されるため、筒体２ｆの長さによっては開孔部２ｅの一つを筒体２ｆの上方に設けた構成とすることも可能であり図示のものに限定されることはない。
【００１７】
計量栓２を構成するベース２ｂは、容器本体１の口頚部１ｂを取り囲み、口頚部１ｂの外周壁に設けられたねじ部に係合可能で、それ自体を正方向、逆方向に回動させることにより容器本体１の口頚部１ｂに沿って昇降可能な下側周壁２ｂ１と、該下側周壁２ｂ１の上端部および頂壁部２ａに段部ｄを介して一体連結するとともに該下側周壁２ｂ１と同期して回動可能、昇降可能な、該下側周壁２ｂ１よりも径の小さい上側周壁２ｂ２から構成されている。ベース２ｂの形状については種々変更可能であり図示のものに限定されない。
【００１８】
また、中皿２ｃは、径方向外側へ向けて低くなる傾斜面を有するディスク状の底壁部２ｃ１と、該底壁部２ｃ１の外縁部にて立ち上がる中皿周壁２ｃ２と、該中皿周壁２ｃ２の上端部に片持ち状態でつながるフランジ部２ｃ３とで構成され、該フランジ部２ｃ３をベース２ｂの内側（下側周壁２ｂ１と上側周壁２ｂ２の境界部の段部ｄの内側）でアンダーカットの如き係合手段により係合させて固定した構造からなっている。中皿２ｃは、基本的にはベース２ｂとともに回動可能、かつ昇降可能になっている。中皿２ｃの断面形状や固定構造についても図示のものに限定されない。計量栓２を構成するとくにベース２ｂの上側周壁２ｂ２を透明または半透明からなるもので構成し、該上側周壁２ｂ２の壁面に他端部側の開孔部２ｅを上限とする複数の目盛りを設けることにより所望の量の計量を行うことができる。
【００１９】
また、３は、中皿２ｃの下方に設けられ、容器本体１の口頚部１ｂの開口部分を密閉する中栓である。中栓３は、中皿２ｃの底壁部２ｃ１と略同一形状をなすとともに容器本体１内の内容物を流通させる貫通孔３ａが形成された本体部分３ｂと、この本体部分３ｂの外縁部において立ち上がる中栓周壁３ｃとで構成されており、該中栓周壁３ｃの外側で容器本体１の口頚部１ｂの突端部１ｂ１にアンダーカットの如き係合手段により係合させて固定されている。なお、中栓３は、ねじ部を介して口頚部１ｂに固定してもよい。
【００２０】
また、４は、中栓３の本体部分３ｂの上面部の中央に一体的に設けられた凸部である。この凸部４は、シール機能を有する弁体を構成するものであって、ベース２ｂの回動に伴う該ベース２ｂそれ自体の昇降移動にて筒体２ｆの一端部側の開孔部２ｄに嵌合離脱できるようになっており、その頂面部には、筒体２ｆの他端部側の開孔部２ｅにつながる孔部４ａが形成されている。凸部４が筒体２ｆの一端部側の開孔部２ｄに嵌合することにより中栓３の貫通孔３ａが閉となり容器本体１内の内容物が直接、注出口Ｎから注出されるのを防止している。なお、この凸部４は、中栓３に設けた場合について示したが、筒体２ｆの下端部を延長してその部位に一体的に設け、中栓３に形成される開孔部に嵌合させるものであってもよく、図示のものには限定されない。
【００２１】
また、５は、中栓３の本体部分３ｂの下面部に垂下保持された筒体（パイプ）である。筒体５は、その一端部５ａが中栓３の下面部の中央に設けられた垂下筒３ｄに嵌合しており、他端部５ｂが容器本体１の底壁部１ｃの近傍域に位置していてその内部通路は凸部４の孔部４ａに連通している。
【００２２】
また、６は、中皿２ｃのフランジ部２ｃ３の下面に垂下保持された環状体、７は、中栓３の周壁３ｃの上端部に起立姿勢で設けられた環状体である。環状体７と環状体６とはそれらが相互に液密状態を維持したまま摺動可能に嵌め合わさるもの（シール壁を形成するもの）であって、ベース２ｂを回動させ、それ自体が容器本体１の口頚部１ｂに沿って上昇あるいは下降しても、その部位から容器本体１内の内容物が漏れ出さないようになっている。
【００２３】
また、８は、計量栓２の頂壁部２ａの下面に設けられた垂下片（整流板）である。この垂下片８は、凸部４が筒体２ｆの開孔部２ｅから離脱した状態で筒体２ｆの他端部側の開孔部２ｅに隙間を隔てて対面する（凸部４が筒体２ｆの開孔部２ｅに嵌合している状態では筒体２ｆの他端部側の開孔部２ｅとは対面しておらず、例えば９０°の角度で位置がずれている）とともに該筒体２ｆの他端部側の開孔部２ｅから流出した内容物を衝突させるものであり、９は、垂下片８が位置する注出口Ｎの縁部に設けられた返し部である。垂下片８で内容物を衝突させ、返し部９で一旦溜めおくことにより内容物を整流状態に維持しつつ注出口Ｎから流出させる。垂下片８は、ここでは、筒体２ｆの他端部側の開孔部２ｅの数に合わせて２つ設けたものを例として示しているが、該垂下片８は、筒体２ｆの他端部側の開孔部２ｅの数に応じて増減される。
【００２４】
さらに、１０は、計量栓２の頂壁部２ａの縁部にヒンジ１１を介して回動可能につながる蓋体である。蓋体１０は、ベース２ｂの頂壁部２ａを覆い隠す閉姿勢でもって注出口Ｎに嵌合して該注出口Ｎを閉塞させる垂下筒１０ａを有している。かかる蓋体１０は、ヒンジ１１の対向位置で蓋体１０を計量栓２の頂壁部２ａにアンダーカットの如き係合手段により着脱自在に係合させることができるが、蓋体１０は、ねじ部を介して計量栓２に着脱自在に連係させるものを用いてもよい。とくに計量栓２と蓋体１０をヒンジ１１を介して一体連結しておくことにより、どのような注出形態（計量注出、適量注出）であろうとも、蓋体１０の開閉を行うことが可能となり操作性の改善を図ることができ、また、蓋体１０の紛失を防止し得る。
【００２５】
図２（ａ）（ｂ）は、蓋体１０が開放されている点のみが異なり、その他は、図１と同じ状態を示した図、すなわち、ベース２ｂが下降姿勢にあり、凸部４が筒体２ｆの一端部側の開孔部２ｄに嵌合しており、垂下片８は筒体２ｆの他端部側の開孔部２ｅには対面しておらず９０°の角度でずれている状態を示した図である。かかる状態にて、容器本体１の胴体部分１ａをスクイズすると、容器本体１内の内容物は、筒体５の他端部５ｂ、一端部５ａ、凸部４の孔部４ａ、筒体２ｆの他端部側の開孔部２ｅを経て計量空間Ｍへと流れ込むこととなり、内容物の所定量の計量が可能となる。内容物が例えば化粧水等である場合には、コットンあるいはフェイスシート等を頂壁部２ａのリップＮ１にあてがい容器本体１を傾動若しくは反転させることにより計量された内容物のみをコットンあるいはフェイスシート等に染み込ませることが可能となり、内容物が少なすぎたり出しすぎによってこぼれ出ることはない。容器本体１内の内容物を計量するに当たっては、筒体２ｆの他端部側の開孔部２ｅに垂下片８を対面させる必要はなく、これにより内容物が垂下片８に衝突して注出口Ｎから噴出するのを回避することができる。
【００２６】
図３（ａ）（ｂ）（蓋体１０の図示は省略）は、ベース２ｂを回動させて上昇姿勢に保持し、凸部４を筒体２ｆの一端部側の開孔部２ｄから離脱させて中栓３の貫通孔３ａを開として内容物の注出経路を切替えた状態を示した図である。かかる状態にて、容器本体１を図４（蓋体１０の図示は省略）に示すような傾転姿勢あるいは反転姿勢に保持して胴体部分１ａをスクイズすると、容器本体１内の内容物は、中栓３の貫通孔３ａ、筒体２ｆの一端部側の開孔部２ｄ、他端部側の開孔部２ｅを通って注出口Ｎから連続的に注出され、内容物を使いたい分だけ取り出すことができる。ここに、内容物を連続的に注出するとは、容器本体１の胴体部分１ａを複数回にわたってスクイズすることにより内容物を注出することを意味している。
【００２７】
内容物を連続的に注出するに際して、垂下片８、返し部９が設けられていない場合には、内容物は注出口Ｎに沿って吐出され、乱流により内容物が周囲へ飛散するのが避けられないが、本発明においては、筒体２ｆの他端部側の開孔部２ｅから出た内容物は、垂下片８に衝突するとともに返し部９にて一旦溜めおかれることから、内容物は整流された状態で注出口Ｎから注出されることになり、内容物の乱流より該内容物が周囲へ飛散するのを抑制することができる。
【００２８】
図５は、本発明にしたがう計量栓を備えたスクイズ容器の他の実施の形態を模式的に示した図である。かかる構造のスクイズ容器は、注出口Ｎの軸芯Ｌと筒体２ｆの軸芯Ｌ１とを偏心させた構成からなるものである。
【００２９】
注出口Ｎの軸芯Ｌと筒体２ｆの軸芯Ｌ１を偏芯させておくことにより、筒体２ｆの他端部の開孔部２ｅから出た内容物は注出口Ｎから注出される前に頂壁部２ａに衝突して整流された状態で注出口Ｎから注出されることとなるため、垂下片８を省略できる利点がある。図５においては、頂壁部２ａの直近で横向きに開放された開孔部２ｅを有する筒体２ｆを設けたものを例として示したが、該筒体２ｆとしては、開孔部２ｅの一つを上方で開放させたものを用いてもよい。
【産業上の利用可能性】
【００３０】
本発明によれば、必要に応じて計量注出、連続的な注出（適量注出）が行える使い勝手のよい吐出切替え可能なスクイズ容器が提供できる。
【符号の説明】
【００３１】
１      容器本体
１ａ    胴体部分
１ｂ    口頚部
１ｂ１  突端部
１ｃ    底壁部
２      計量栓
２ａ    頂壁部
２ｂ    ベース
２ｂ１  下側周壁
２ｂ２  上側周壁
２ｃ    中皿
２ｃ１  底壁部
２ｃ２  中皿周壁
２ｃ３  フランジ部
２ｄ    一端部側の開孔部
２ｅ    他端部側の開孔部
２ｆ    筒体
３      中栓
３ａ    貫通孔
３ｂ    本体部分
３ｃ    中栓周壁
３ｄ    垂下筒
４      凸部
４ａ    孔部
５      筒体（パイプ）
５ａ    一端部
５ｂ    他端部
６      環状体
７      環状体
８      垂下片
９      返し部
１０    蓋体
１０ａ  垂下筒
Ｎ      注出口
Ｎ１    リップ
Ｍ      計量空間
ｄ      段部
Ｌ      注出口の軸芯
Ｌ１    筒体の軸芯
【図１】
2019189323.tif 000003
【図２】
2019189323.tif 000004
【図３】
2019189323.tif 000005
【図４】
2019189323.tif 000006
【図５】
2019189323.tif 000007